(57)【要約】【課題】微生物（細菌、カビなど）の繁殖・増殖を確実に制御すること可能な空調機を提供する。【解決手段】本発明に係る空調機１０は、ケーシング３０と、前記ケーシング３０に設けられ、前記ケーシング３０内の第１空間から、前記ケーシング３０内で前記第１空間と隔てられた第２空間に対して送風を行う送風機２２と、前記第２空間から前記第１空間に対して気流を循環させる循環ダクト５１と、前記第１空間又は前記第２空間のいずれかの空間に設けられる加湿モジュール５０と、前記加湿モジュール５０に過酸化水素水を供給する第１の過酸化水素水供給部と、を有することを特徴とする。【選択図】      図１
2013213657.tif 000002
【特許請求の範囲】
【請求項１】
ケーシングと、
前記ケーシングに設けられ、前記ケーシング内の第１空間から、前記ケーシング内で前記第１空間と隔てられた第２空間に対して送風を行う送風機と、
前記第２空間から前記第１空間に対して気流を循環させる循環ダクトと、
前記第１空間又は前記第２空間のいずれかの空間に設けられる加湿モジュールと、
前記加湿モジュールに過酸化水素水を供給する第１の過酸化水素水供給部と、を有することを特徴とする空調機。
【請求項２】
前記第１の過酸化水素水供給部で供給する過酸化水素水を加熱するヒーターが設けられることを特徴とする請求項１に記載の空調機。
【請求項３】
前記加湿モジュールに前記過酸化水素水の濃度を検出するセンサが設けられることを特徴とする請求項１又は請求項２に記載の空調機。
【請求項４】
前記第１空間又は前記第２空間のいずれかの空間に設けられる冷却コイルと、
前記冷却コイルに過酸化水素水を供給する第２の過酸化水素水供給部と、を有することを特徴とする請求項１乃至請求項３のいずれか１項に記載の空調機。
【請求項５】
前記第２の過酸化水素水供給部で供給する過酸化水素水を加熱するヒーターが設けられることを特徴とする請求項４に記載の空調機。
【請求項６】
前記前記冷却コイルに前記過酸化水素水の濃度を検出するセンサが設けられることを特徴とする請求項４又は請求項５に記載の空調機。
【請求項７】
前記循環ダクト中に前記過酸化水素水を分解する触媒が配されることを特徴とする請求項１乃至請求項６のいずれか１項に記載の空調機。
【発明の詳細な説明】
【技術分野】
【０００１】
本発明は、細菌、カビなどの微生物を抑制した空調機に関する。
【背景技術】
【０００２】
空調機の内部構造には常時漏れた状態であるものがあり、このような構造部には、微生物（細菌、カビなど）が繁殖しやすい部位がある。具体的には（１）加湿モジュール、（２）冷却コイル、（３）ドレインパンなどがこれに当たる。
【０００３】
特に（１）、（２）は空気との接触面積が大きいので、これらの部位に微生物が繁殖すると、被空調室に対して、空調空気と共に臭い（悪臭）、あるいは増殖した微生物やカビの胞子を、供給してしまうこととなる。また、（１）、（２）の表面に繁殖した微生物が脱離して、ドレインパンの排水口や、排水パイプの閉塞の原因となってしまうことがある。
【０００４】
細菌、カビなどの微生物による室内汚染や、ドレインパンなどの排水系の閉塞を防ぐために、これまで様々な方法が採用され、あるいは研究開発が行われている。具体的には既存の微生物制御技術、研究開発中の技術として次のような方法がある。
（ａ）空調機内の対象構造物に殺菌ランプ（紫外線（ＵＶ）ランプ）を照射する方法
（ｂ）空調機内の対象構造物を、定期的に一定時間乾燥させる方法
（ｃ）空調機内の対象構造物に対し、熱湯（温水）をかける方法
（ｄ）空調機内の対象構造物にマイクロ波を照射する方法
例えば、特許文献１（特開２００４−２４５４９０号公報）には、紫外線照射によって、殺菌したエアを被空調室に供給する空調システムが開示されている。
【特許文献１】特開２００４−２４５４９０号公報
【発明の概要】
【発明が解決しようとする課題】
【０００５】
上記（ａ）乃至（ｄ）に係る方法は微生物制御（殺菌、繁殖抑制）において、一定の効果を上げることができるが、それぞれ次のような欠点がある。
（ａ）空調機内の対象構造物に殺菌ランプ（紫外線（ＵＶ）ランプ）を照射する方法；
紫外線が直接照射されない部位には効果がない。殺菌ランプから距離が離れると効力が低下する。
（ｂ）空調機内の対象構造物を、定期的に一定時間乾燥させる方法；
連続運転が必要な空調機には適用することができない。また、乾燥に強い微生物に対しては効果を期待することができない。
（ｃ）空調機内の対象構造物に対し、熱湯（温水）をかける方法；
芽胞やカビなどに対する抑制効果が弱い。効果を高めるには、温度が高い方が望ましいが、そのぶん必要とするエネルギーが増加する。
（ｄ）空調機内の対象構造物にマイクロ波を照射する方法；
マイクロ波の発振器に比較的近い構造部位では効果が期待できるが、距離が離れると、マイクロ波照射による効果が大幅に低下する。
【０００６】
以上、まとめると、上記（ａ）乃至（ｄ）に係る方法では、空調機において、微生物（細菌、カビなど）の繁殖・増殖を抑制する効果が限定的である、という問題点があった。
【課題を解決するための手段】
【０００７】
この発明は、上記（ａ）乃至（ｄ）に係る方法の上記課題を解決するものであって、請
求項１に係る発明は、ケーシングと、前記ケーシングに設けられ、前記ケーシング内の第１空間から、前記ケーシング内で前記第１空間と隔てられた第２空間に対して送風を行う送風機と、前記第２空間から前記第１空間に対して気流を循環させる循環ダクトと、前記第１空間又は前記第２空間のいずれかの空間に設けられる加湿モジュールと、前記加湿モジュールに過酸化水素水を供給する第１の過酸化水素水供給部と、を有することを特徴とする空調機である。
【０００８】
また、請求項２に係る発明は、請求項１に記載の空調機において、前記第１の過酸化水素水供給部で供給する過酸化水素水を加熱するヒーターが設けられることを特徴とする。
【０００９】
また、請求項３に係る発明は、請求項１又は請求項２に記載の空調機において、前記加湿モジュールに前記過酸化水素水の濃度を検出するセンサが設けられることを特徴とする。
【００１０】
また、請求項４に係る発明は、請求項１乃至請求項３のいずれか１項に記載の空調機において、前記第１空間又は前記第２空間のいずれかの空間に設けられる冷却コイルと、前記冷却コイルに過酸化水素水を供給する第２の過酸化水素水供給部と、を有することを特徴とする。
【００１１】
また、請求項５に係る発明は、請求項４に記載の空調機において、前記第２の過酸化水素水供給部で供給する過酸化水素水を加熱するヒーターが設けられることを特徴とする。
【００１２】
また、請求項６に係る発明は、請求項４又は請求項５に記載の空調機において、前記前記冷却コイルに前記過酸化水素水の濃度を検出するセンサが設けられることを特徴とする。
【００１３】
また、請求項７に係る発明は、請求項１乃至請求項６のいずれか１項に記載の空調機において、前記循環ダクト中に前記過酸化水素水を分解する触媒が配されることを特徴とする。
【発明の効果】
【００１４】
本発明の空調機は、循環ダクトを設けた上で、過酸化水素水を供給する仕組みとなっているので、本発明の空調機によれば、微生物（細菌、カビなど）の繁殖・増殖を確実に制御すること可能となる。
【図面の簡単な説明】
【００１５】
【図１】本発明の第１実施形態に係る空調機１０を被空調室１に適用した例を示す図である。
【図２】本発明の第１実施形態に係る空調機１０の制御ブロック図を示す図である。
【図３】本発明の第１実施形態に係る空調機１０の微生物制御モードの制御フローチャートを示す図である。
【図４】本発明の第１実施形態に係る空調機１０の過酸化水素の過剰濃縮防止処理ルーチンの制御フローチャートを示す図である。
【図５】本発明の第２実施形態に係る空調機１０を被空調室１に適用した例を示す図である。
【図６】本発明の第３実施形態に係る空調機１０を被空調室１に適用した例を示す図である。
【図７】本発明の第３実施形態に係る空調機１０の制御ブロック図を示す図である。
【図８】本発明の第３実施形態に係る空調機１０の微生物制御モードの制御フローチャートを示す図である。
【発明を実施するための形態】
【００１６】
以下、添付図面を参照しつつ、本発明に係る空調機１０の好ましい実施の形態について説明する。図１は、本発明の第１実施形態に係る空調機１０を被空調室１に適用した例を示す構成図である。
【００１７】
本実施形態に係る空調機１０は、被空調室１に対する空調動作を行う通常動作モードと、空調機１０内部における細菌、カビなどの微生物の繁殖・増殖の抑制を行う微生物制御モードとの少なくとも２種のモードを有している。第１実施形態では、微生物制御モードによって、空調機１０内の加湿モジュール５０に過酸化水素水を供給し殺菌などを行い、微生物制御を実行する場合について説明する。
【００１８】
以下、まず、通常動作モードに関連する構成について主に説明する。
【００１９】
図１に示す被空調室１は、外部と区画壁２によって仕切られており、被空調室１の天井面４にはエア供給パネル６、６…が設けられている。このエア供給パネル６は、整流作用を有した不図示の羽根格子吹出口を有しており、エア供給パネル６に供給された空調エアを被空調室１内に整流して吹き出す。
【００２０】
被空調室１の側壁８の下部には排気パネル９が設けられ、排気パネル９から被空調室１内のエアが排気される。排気パネル９にはエア排気ダクト１２ａが接続されている。一方、空調機１０からのエア給気ダクト１２ｂはエア供給パネル６、６…に接続され、これにより被空調室１内に空調エアが供給される。
【００２１】
空調機１０は、外気取入口１１および空調エア出口１３を有したケーシング３０にて構成されており、その内部にはケーシング３０の入口側から順に、プレフィルタ３８、中性能フィルタ１７、冷却コイル１８、送風機２２、加湿モジュール５０、抗菌ＨＥＰＡフィルタ２８などを主として備えている。
【００２２】
ケーシング３０の内面には抗菌塗装が施すことで、人体に有害な大腸菌や黄色ブドウ球菌などの菌や、カビ・酵母などの真菌が塗装面に付着した場合にその増殖が抑制するようにすることもできる。抗菌塗装には、たとえば無機系抗菌剤（無機系銀など）を配合した塗料が用いられる。
【００２３】
外気取入口１１は、空調機１０内部に外気エアを取り込む。外気取入口１１には、外気取入口１１を開閉可能とする外気弁１１ａが設けられており、外気エアの取り込み量が外気弁１１ａの開口量によって調整される。
【００２４】
プレフィルタ３８は、外気弁１１ａの下流側に設けられ、外気取入口１１を介して空調機１０の内部に導入された外気エアを濾過し、外気エアに含まれる塵埃の除去を行なう。
【００２５】
中性能フィルタ１７は、プレフィルタ３８の下流側に設けられ、プレフィルタ３８を通過したエアの濾過をおこなうものである。また、ケーシング３０にはエア排気ダクト１２ａが接続されており、前述したプレフィルタ３８と中性能フィルタ１７の間に被空調室１から排気されたエアが吹き出される構成となっている。この吹き出されたエアも中性能フィルタ１７にて濾過される。
【００２６】
冷却コイル１８は、中性能フィルタ１７のエア流の下流側に設けられ、エアを冷却して所定の温度に調節する。冷却コイル１８には、ポンプ２０を介して冷水タンク２１が接続され、このポンプ２０を駆動して冷却コイル１８内の冷水が冷水タンク２１とで循環され
る構成となっている。これにより、中性能フィルタ１７によって濾過されたエアが冷却コイル１８に接触して冷却される。なお、ポンプ２０の駆動制御を行う主制御部１００（図２参照）と、この主制御部１００に接続され、被空調室１内の温度を検出する温度センサ２３とが夫々設けられており、被空調室１内のエアの温度が所定温度となるように冷却コイル１８の冷水の流量が調節される。
【００２７】
冷却コイル１８の下部には、冷却コイル１８の表面に結露し落下した水を回収し排水するドレイン７０が設けられている。
【００２８】
送風機２２は、ケーシング３０内部でエア流を発生させて各フィルタによるエアの濾過を行い、被空調室１内に空調エアを供給する。送風機２２は、ケーシング３０の隔壁２４に取り付けられている。この隔壁２４には吹き出し口２４ａが形成され、送風機２２はこの吹き出し口２４ａから送風機２２に取り込んだエアを吹き出し可能に配置されている。これにより、送風機２２を駆動させると空調機１０内のエアが送風されてエア流を生成し、各フィルタによりエアの濾過が行なわれるとともに、エア給気ダクト１２ｂを介して被空調室１内に空調エアが供給される。なお、ケーシング３０内において、送風機２２がエア取り込む空間を第１空間（隔壁２４の図１左側の空間）と、また、送風機２２が取り込んだエアを吹き出す空間を第２空間（隔壁２４の図１右側の空間）と称する。
【００２９】
加湿モジュール５０は、送風機２２にて送風されたエアに対し、必要に応じて湿度を与えるものであり、エアとの接触面積を確保するための複数の長尺状部材（不図示）から構成される。
【００３０】
水供給管５９は加湿モジュール５０近傍に設けられた水タンク５８から水を加湿モジュール５０に供給する。水供給管５９の一端には水滴下ノズル６０が設けられており、水タンク５８に貯留された水は、この水滴下ノズル６０から滴下され、加湿モジュール５０の上部に供給される。
【００３１】
水供給管５９の管路中にはポンプ（Ｐw）６１が設けられており、このポンプ（Ｐw）６１を駆動させると水タンク５８から水が所定の圧力で加湿モジュール５０上に送出される。また、水供給管５９には、ポンプ（Ｐw）６１の下流側にバルブ６２が設けられ、加湿
モジュール５０への水送出量が調整される。ポンプ（Ｐw）６１とバルブ６２は主制御部
１００に接続され、主制御部１００によって、ポンプ（Ｐw）６１のオンオフ制御、バル
ブ６２の開閉制御が行われる。また、水供給管５９は、ケーシング３０の内部まで導入され、加湿モジュール５０の上部側に位置するように配置されている。
【００３２】
また、加湿モジュール５０の下部には、加湿モジュール５０で気化せず、落下した水、また後述する過酸化水素水を受け止めて、これを排水するドレイン５５が設けられる。
【００３３】
また、被空調室１には、被空調室１の湿度を検出する湿度センサ２７が設けられており、この湿度センサ２７が主制御部１００と接続されており、主制御部１００によってポンプ（Ｐw）６１のオンオフ制御、バルブ６２の開閉制御が行われて、加湿モジュール５０
に滴下される水の量がコントロールされることで、被空調室１内のエアの湿度が所定湿度に保たれるようになっている。
【００３４】
抗菌ＨＥＰＡフィルタ２８は空調機１０内部のエアを濾過し、中性能フィルタ１７によって除去が困難なエア中の菌を除去する。この抗菌ＨＥＰＡフィルタ２８は加湿モジュール５０のエア流の下流側に取り付けられ、被空調室１への菌の侵入が防止される。とくに、抗菌ＨＥＰＡフィルタ２８の濾過面に付着した菌は抗菌ＨＥＰＡフィルタ２８の抗菌作用によって殺菌される。
【００３５】
空調エア出口１３にはエア給気ダクト１２ｂが接続され、空調機１０内部にて空調された空調エアがエア給気ダクト１２ｂに送気される。
【００３６】
また、空調エア出口１３には出口弁１３ａが設けられており、エア給気ダクト１２ｂを通じて被空調室１内に供給する空調エア量が出口弁１３ａの開口量によって調整される。また、出口弁１３ａは、主制御部１００の制御に基づいてその開口量がコントロールされるようになっている。
【００３７】
かかる構造の空調機１０によって、送風機２２が作動されると、外気取入口１１から外気が空調機１０に導入されるとともに、排気パネル９から被空調室１内のエアがエア排気ダクト１２ａに排気される。排気されたエアは空調機１０に取り込まれ、空調機１０にて濾過、除菌された空調エアがエア供給パネル６から被空調室１内に吹き出される。
【００３８】
以上の構成及び動作が、被空調室１に対して通常の空調動作を行う、空調機１０の通常動作モードに係るものである。次に、空調機１０内部における細菌、カビなどの微生物の繁殖・増殖の抑制を行う、本実施形態に係る空調機１０の微生物制御モードに係る構成及び動作について、以下説明する。
【００３９】
これまで説明したような空調機１０の構造・動作では、加湿モジュール５０は比較的湿潤が保たれているため、加湿モジュール５０において細菌、カビなどの微生物が繁殖・増殖しやすい。そこで、本実施形態に係る空調機１０の微生物制御モードでは、加湿モジュール５０に過酸化水素水を供給し、微生物の殺菌など行うと共に、過酸化水素が含まれたエアについては被空調室１側に供給しないようになっている。
【００４０】
本実施形態に係る空調機１０では、微生物制御に過酸化水素水を用いる。過酸化水素水は、医療の分野では重量濃度３％前後の過酸化水素水が外用消毒剤「オキシドール」として使用されている。工業的には製紙業などでは漂白、半導体生産などでは洗浄に使われている。食品の分野では製麺や魚肉練り製品の漂白、あるいは食品包装容器の殺菌などに使われている。過酸化水素水が持っているこれら漂白、殺菌の作用は過酸化水素水が水と酸素に分解する際に発生する。過酸化水素水の分解物は基本的に無害な水と酸素であり、環境に対する負荷が非常に低い。
【００４１】
このように広く使われている化学物質であるが、重量濃度で３６％以上が危険物となるため、３０〜３５％程度の製品が多く市販されており、入手もしやすい。実際に使用する際の濃度は材料の腐食、殺菌効果とコストなどの関係から、濃度３０〜３５％から必要に応じて適当な濃度に希釈して使用することが好ましい。
【００４２】
２．５％〜３．５％濃度の過酸化水素はオキシドールの名称で外用消毒剤として使われている。空調機１０内の微生物制御に使用する際の濃度は材料の腐食、殺菌効果とコストなどの関係から必要に応じて適当な濃度を選択する必要がある。微生物の薬剤耐性は微生物の種類以外に、微生物が繁殖している状況（例えば表面に薄く広がって繁殖しているか、ある程度のバイオフィルムを形成しているかなど）により大きく影響を受ける。このため、過酸化水素がその殺菌効果を発揮する濃度を一概に指定することはできない。
【００４３】
通常の殺菌処理における過酸化水素水濃度は概ね０．１〜１％とすることを濃度の目安とするが、殺菌効果が浸透しにくいバイオフィルムを形成している場合や、濃度０．１〜１％の処理で十分な効果が得られない場合は１％を越える濃度での処理を考慮する。この場合は、殺菌効果と経済性や安全性などから濃度５％以下での使用が好ましい。
【００４４】
以下、加湿モジュール５０に過酸化水素水を供給するための具体的な構成を以下説明する。加湿モジュール５０への過酸化水素水供給部において、加湿モジュール５０近傍に設けられた過酸化水素水タンク６３から過酸化水素水供給管６４を経て、過酸化水素水を加湿モジュール５０に供給する。過酸化水素水供給管６４の一端には過酸化水素水滴下ノズル６５が設けられており、過酸化水素水タンク６３に貯留された過酸化水素水は、この過酸化水素水滴下ノズル６５から滴下され、加湿モジュール５０の上部に供給される。
【００４５】
過酸化水素水供給管６４の管路中にはポンプ（Ｐｈ）６６が設けられており、このポンプ（Ｐｈ）６６を駆動させると過酸化水素水タンク６３から過酸化水素水が所定の圧力で加湿モジュール５０内に送出される。また、過酸化水素水供給管６４には、ポンプ（Ｐｈ）６６の下流側にバルブ６７が設けられ、加湿モジュール５０への過酸化水素水の送出量が調整される。ポンプ（Ｐｈ）６６とバルブ６７は主制御部１００に接続され、主制御部１００によって、ポンプ（Ｐｈ）６６のオンオフ制御、バルブ６７の開閉制御が行われる。また、過酸化水素水供給管６４は、ケーシング３０の内部まで導入され、加湿モジュール５０の上部側に位置するように配置されている。
【００４６】
また、過酸化水素水供給部において、ヒーター６８は過酸化水素水供給管６４の管路中を流れる過酸化水素水の温度を上昇させるためのものである。
【００４７】
過酸化水素の殺菌作用、酸化作用は温度の上昇と共に急速に高まる。このため、ヒーター６８を利用して、処理温度を高くすることにより常温では殺菌できないカビや芽胞を殺菌することも可能なる。また、取り扱う過酸化水素水の濃度を抑えることもできるため、安全上のメリットも発生する。
【００４８】
過酸化水素水の殺菌作用は、温度の影響を強く受ける。例えば処理温度を３０℃から４０℃に１０℃上昇させると処理時間を２〜３倍長くするのと同時の効果を発揮することが知られている。同様に３０℃〜５０度℃に２０℃上昇させると、処理時間を４〜８倍長くするのと同程度の効果を発揮する。過酸化水素自体でも１０℃の温度上昇により分解速度（＝酸素発生速度）が２．２倍になる。
【００４９】
この性質を利用することで、加湿モジュール５０に供給する過酸化水素水の濃度を低くすることにより薬剤コスト低減、ハンドリグ時の安全性を高めることができる。或いは供給する過酸化水素水の濃度が同じでも処理に要する時間の短縮を図ることができる。ヒーター６８により過酸化水素水の温度を上昇させると、カビの胞子などに加えて枯草菌の芽胞など耐熱性、耐薬品性の高い微生物を処理対象とするときに特に有効である。
【００５０】
なお、本実施形態においては、ヒーター６８で過酸化水素水供給管６４の管路中を流れる過酸化水素水の温度を上昇させるようにしたが、常温の過酸化水素水を加湿モジュール５０に供給し、これを別の加熱手段で加熱するようにしてもよい。
【００５１】
さらに、本実施形態においては、ヒーター６８で過酸化水素水の温度を上昇させるようにしたが、十分に微生物の増殖抑制を行い得る濃度の過酸化水素水を利用することができる場合には、必ずしも、過酸化水素水を昇温させる構成は必須ではない。
【００５２】
続いて、ケーシング３０外において、第１空間（隔壁２４の図１左側の空間）と、第２空間（隔壁２４の図１右側の空間）とを連通させる循環ダクト５１について説明する。本実施形態に係る空調機１０の微生物制御モードを実行する際には、この循環ダクト５１の流路を用い、過酸化水素が含まれたエアが、被空調室１内に吹き出されないようにする。
【００５３】
循環ダクト５１は、第２空間であるケーシング３０における抗菌ＨＥＰＡフィルタ２８
の下流側と、第１空間である送風機２２の上流側との間を接続する流路であり、図中矢印の方向にエアが流れることを想定している。この循環ダクト５１中に設けられたダンパー５２は開閉されることで、循環ダクト５１中を流れるエア量をコントロールする。このダンパー５２は、主制御部１００からの指令に基づいて開閉を行い得るようになっている。また、循環ダクト５１の流路中には、過酸化水素の中和・分解手段である分解触媒フィルタ５３が設けられている。所定以上に希釈した過酸化水素水は殆ど臭いがなく、気体としての過酸化水素水の発生量もごく僅かである。しかし高濃度での使用時、あるいは加温条件での使用時は気体としての過酸化水素の発生が促進されるので、特有の異臭が問題となる可能性がある。
【００５４】
このような場合は、ガス状の過酸化水素を含む空気を過酸化水素分解触媒フィルタ５３に通すことで以下のように分解できる。
【００５５】
分解反応式：２Ｈ2Ｏ2（ｇ）→２Ｈ2Ｏ（ｇ）＋Ｏ2（ｇ）
（ｇ）：気体
したがって、送風機２２の上流側には、基本的には過酸化水素が含まれていないエアが環流されるので、送風機２２が過酸化水素によりダメージを受けることがない。
【００５６】
なお、本実施形態においては、分解触媒フィルタ５３を循環ダクト５１中に設けるようにしたが、過酸化水素水を使用する風下側に過酸化水素分解触媒フィルタ５３を設置する、あるいは供給空気のダクトの途中に過酸化水素分解触媒フィルタ５３を設置するなどの構成を採ることもできる。
【００５７】
分解触媒フィルタ５３は、活性炭（粒状活性炭もしくは活性炭繊維）、金属酸化物（二酸化マンガン、二酸化チタン、二酸化ニッケルもしくは酸化銅等の１種類あるいは複数の組合せ、さらに銀、白金等の金属が添加されたものを含む）、それらの複合物を単体あるいはバインダーとの混合物としたものを用いることができる。なかでも、二酸化マンガンは、過酸化水素水の高い分解性能に加え、安価であることから本発明に好適に用いることができる。
【００５８】
また、空調エア出口１３近傍には、空気中の過酸化水素の濃度検出手段を構成する濃度センサ４０が備えられ、空調エア中の過酸化水素濃度が検出される。この濃度センサ４０は、主制御部１００に接続されており、濃度センサ４０によって検出された過酸化水素濃度は、濃度検出情報として主制御部１００に入力される。
【００５９】
さらに、加湿モジュール５０中にも、過酸化水素水中の過酸化水素の濃度検出手段として濃度センサ４１を設けて、加湿モジュール５０中の過酸化水素濃度を検出する。この濃度センサ４１も、主制御部１００に接続され、濃度センサ４１によって検出された過酸化水素濃度は、濃度検出情報として主制御部１００に入力される。
【００６０】
続いて、本実施形態に係る空調機１０における制御部の構成を説明する。図２は本発明の第１実施形態に係る空調機１０の制御ブロック図を示す図である。
【００６１】
図２において、主制御部１００は、ＣＰＵとＣＰＵ上で動作するプログラムを保持するＲＯＭとＣＰＵのワークエリアであるＲＡＭなどからなる汎用の情報処理部であり、図中、接続される各構成と、データ通信を行い得るようになっている。
【００６２】
被空調室１内に設けられた温度センサ２３で検出される温度データ、同じく被空調室１内に設けられた湿度センサ２７で検出される湿度データは、主制御部１００に対して入力される。また、空調エア出口１３近傍に設けられた濃度センサ４０で検出される過酸化水
素水中の過酸化水素の濃度データと、加湿モジュール５０中に設けられた濃度センサ４１で検出される過酸化水素の濃度データについても、主制御部１００に対して入力される。
【００６３】
また、送風機２２におけるエアの送風量は主制御部１００からの制御指令に基づいて制御可能とされる。また、冷却コイル１８と冷水タンク２１と間の循環を担うポンプ２０の駆動制御は、主制御部１００からの制御指令に基づいて実行されるようになっている。また、主制御部１００は、空調エア出口１３に設けられた出口弁１３ａの開口量、及び、循環ダクト５１中に設けられたダンパー５２の開閉を制御するようになっている。
【００６４】
また、加湿モジュール５０への給水部を構成するポンプ（Ｐw）６１のオンオフ制御、
バルブ６２の開閉制御、また、加湿モジュール５０への過酸化水素水供給部を構成するポンプ（Ｐｈ）６６のオンオフ制御、バルブ６７の開閉制御、ヒーター６８のオンオフ制御も主制御部１００からの制御指令に基づいて行われるようになっている。
【００６５】
次に、本実施形態に係る空調機１０の微生物制御モードの制御例について説明する。図３は本発明の第１実施形態に係る空調機１０の微生物制御モードの制御フローチャートを示す図である。加湿モジュール５０における細菌、カビなどの微生物の繁殖・増殖の抑制を行う微生物制御モードは、被空調室１に人がいないタイミング（例えば休日など）に実行されるように予めセットされている。
【００６６】
ステップＳ１０１は、そのようなタイミングであるかを判定するものであり、ステップＳ１０１では、予めセットされた所定時刻となったか否かが判定される。ステップＳ１０１における判定がＮＯである場合にはステップＳ１１７に進み、微生物制御モードを終了する。
【００６７】
一方、予めセットされている所定時刻であると判定されると、ステップＳ１０２に進み、被空調室１に通ずる出口弁１３ａを閉じ、次にステップＳ１０３で、通常動作モードでは閉じられている循環ダクト５１中のダンパー５２を開ける。また、ステップＳ１０４では、送風機２２により所定風量（微生物制御時のために設定された風量）を送風する。
【００６８】
続いて、ステップＳ１０５で、加湿モジュール５０への過酸化水素水供給部を構成するポンプ（Ｐｈ）６６をオンとし、次のステップＳ１０６で、ヒーター６８をオンし、さらに次のステップＳ１０７で、バルブ６７を所定量開き、加湿モジュール５０に過酸化水素水を供給し、微生物の殺菌などを行う。
【００６９】
ステップＳ１０８では、バルブ６７が開かれてから所定時間が経過し、所定量の過酸化水素水が加湿モジュール５０に対して供給された否かが判定される。ステップＳ１０８がＹＥＳ判定となると、続くステップＳ１０９で、過酸化水素水供給部を構成するバルブ６７を閉じ、次のステップＳ１１０で、ヒーター６８をオフとし、ステップＳ１１１で、ポンプ（Ｐｈ）６６をオフとする。
【００７０】
ステップＳ１１２では、空調エア出口１３近傍に設けられた空気中の過酸化水素濃度センサ４０の検出濃度が所定値以下であるか否かが判定される。所定値以上の過酸化水素の濃度が検出され、当該判定がＮＯである場合には、ステップＳ１１３に進み、送風機２２による送風を継続する。これにより、第２空間→循環ダクト５１→分解触媒フィルタ５３→第１空間→第２空間→・・・におけるエア循環が継続され、分解触媒フィルタ５３によるエア中の過酸化水素水の分解が促進される。
【００７１】
一方、ステップＳ１１２の判定がＹＥＳである場合には、ステップＳ１１４に進み、送風機２２による風量を通常時に戻し、続くステップＳ１１５で、循環ダクト５１のダンパ
ー５２を閉じ、さらにステップＳ１１６で、出口弁１３ａを開けて、次のステップＳ１１７で微生物制御モードを終了する。
【００７２】
以上のように、本発明の空調機１０は、循環ダクト５１を設けた上で、過酸化水素水を供給する仕組みとなっているので、本発明の空調機１０によれば、微生物（細菌、カビなど）の繁殖・増殖を確実に制御すること可能となる。
【００７３】
なお、本発明の空調機１０においては、循環ダクト５１で環流させる構成で、過酸化水素水を加湿モジュール５０に供給する構成となっているが、これは必ずしも必須のものではない。気化式加湿器の加湿モジュール５０は、水の気化を促進するために一般に空気の流路は狭く、表面積が大きく取られている。このため、空気中の微粒子（粉塵、浮遊菌、カビの胞子など）は加湿モジュール５０に高確率で捕捉される。そこで、定期的に、あるいは連続的に過酸化水素水を供給しながら加湿運転を行うことにより、被空調室１への供給空気の加湿と同時に空気中の微生物を除菌することもできる。
【００７４】
また、本実施形態においては、過酸化水素水を供給して殺菌などを行う対象である加湿モジュール５０を第２空間に設けるようにしたが、過酸化水素水を供給して殺菌などの微生物制御を行う対象は、第１空間又は第２空間のいずれに配置するようにしても構わない。
【００７５】
ところで、微生物の制御を行う際、過酸化水素水を使用する上で特に注意が必要なことは、高濃度の過酸化水素水は酸化力が非常に強いことである。過酸化水素と水の混合物である「過酸化水素水」では、水の蒸気圧の方が高いため、水が優先的に蒸発することにより過酸化水素濃度が自然と上昇する傾向にある。特に６６％以上の濃度では発火などの危険が高くなるためである。本発明の実施形態に係る空調機１０には、このような過酸化水素の過度の濃縮を防ぐための処理が設けられているので、これについて説明する。
【００７６】
図４は本発明の第１実施形態に係る空調機１０の過剰の過酸化水素濃縮防止処理ルーチンの制御フローチャート例を示す図である。このような濃縮防止処理ルーチンは、微生物制御モードが実行されている最中（例えば、一定時間間隔毎などに）に適宜実行されることが好ましい。
【００７７】
ステップＳ２００で、濃縮防止処理ルーチンが開始されると、続くステップＳ２０１において、加湿モジュール５０中に設けられた過酸化水素水中の過酸化水素濃度センサ４１の検出濃度が所定値以上であるか否かが判定される。この判定がＮＯであれば、特段濃縮防止処理を実行する必要がないので、ステップＳ２０７に進み、実行中の微生物制御モードのフローにリターンする。
【００７８】
一方、ステップＳ２０１における判定がＹＥＳである場合には、実際に濃縮防止処理を実行するために、ステップＳ２０２に進み、加湿モジュール５０への給水部を構成するポンプ（Ｐw）６１をオンとし、ステップＳ２０３で、バルブ６２を所定量開いて、加湿モ
ジュール５０への給水を行う。
【００７９】
ステップＳ２０４では、所定時間が経過し、所定量の水が加湿モジュール５０に供給され、十分に過酸化水素水が希釈されたかが判定される。ステップＳ２０４の判定がＹＥＳとなると、ステップＳ２０５に進み、給水部のバルブ６２を閉じ、ステップＳ２０６で、ポンプ（Ｐw）６１をオフとして、次のステップＳ２０７で、実行中の微生物制御モード
のフローにリターンする。
【００８０】
以上のような本実施形態に係る空調機１０によれば、過酸化水素の過度の濃縮を防止す
る処理が実行されるために、安全性が確保できる。
【００８１】
なお、本実施形態においては、加湿モジュールに保持される過酸化水素水中の過酸化水素の濃度を検出する濃度センサ４１を設けておき、これにより検出された濃度に基づいて、濃色防止処理を実行する方法を採用したが、その他の方法としては、
・微生物制御モードの過酸化水素水処理の一定時間経過後、タイマーにより水を供給して水で過酸化水素水を希釈、あるいは洗浄除去する方法、
・供給する過酸化水素水の濃度に加え、温度やエア風量などの測定値から過酸化水素の濃縮速度を予想し、危険濃度に達する前に、給水部からの水で過酸化水素水を希釈、或いは洗浄除去する方法、
などを挙げることができる。
【００８２】
次に、本発明の他の実施形態について説明する。図５は本発明の第２実施形態に係る空調機１０を被空調室１に適用した例を示す図である。図５に示す構成において、図１に示すものと同様の参照が付された構成は、第１実施形態で説明したものと同様の構成であるので、詳細な説明は省略する。
【００８３】
また、第２実施形態に係る空調機１０の通常動作モードの構成・動作については、第１実施形態と同様であるので、これについても詳細な説明は省略する。
【００８４】
以下、第２実施形態に係る空調機１０内部における細菌、カビなどの微生物の繁殖・増殖の抑制を行う、本実施形態に係る空調機１０の微生物制御モードに係る構成及び動作について、以下説明する。
【００８５】
第２実施形態が、第１実施形態と相違する第１の点は、冷却コイル１８に対しても、過酸化水素水を供給する過酸化水素水供給部が設けられている点である。このような過酸化水素水供給部で、冷却コイル１８に対し過酸化水素水を供給することで、冷却コイル１８及びそのドレイン７０における微生物の繁殖・増殖の抑制を行うようにするものである。
【００８６】
以下、冷却コイル１８に過酸化水素水を供給するための具体的な構成を以下説明する。冷却コイル１８への過酸化水素水供給部において、冷却コイル１８近傍に設けられた過酸化水素水タンク７３から過酸化水素水供給管７４を経て、過酸化水素水を冷却コイル１８に供給する。過酸化水素水供給管７４の一端には過酸化水素水滴下ノズル７５が設けられており、過酸化水素水タンク７３に貯留された過酸化水素水は、この過酸化水素水滴下ノズル７５から滴下され、冷却コイル１８の上部に供給される。
【００８７】
過酸化水素水供給管７４の管路中にはポンプ（Ｐｈ）７６が設けられており、このポンプ（Ｐｈ）７６を駆動させると過酸化水素水タンク７３から過酸化水素水が所定の圧力で冷却コイル１８内に送出される。また、過酸化水素水供給管７４には、ポンプ（Ｐｈ）７６の下流側にバルブ７７が設けられ、冷却コイル１８への過酸化水素水の送出量が調整される。ポンプ（Ｐｈ）７６とバルブ７７は主制御部１００に接続され、主制御部１００によって、ポンプ（Ｐｈ）７６のオンオフ制御、バルブ７７の開閉制御が行われる。また、過酸化水素水供給管７４は、ケーシング３０の内部まで導入され、冷却コイル１８の上部側に位置するように配置されている。
【００８８】
また、過酸化水素水供給部において、ヒーター７８は過酸化水素水タンク７３近傍に設けられ、過酸化水素水タンク７３内に貯留されている過酸化水素水の温度を上昇させるためのものである。
【００８９】
以上のように構成される、冷却コイル１８の過酸化水素水供給部の動作は、加湿モジュ
ール５０の過酸化水素水供給部と同様に、主制御部１００からの制御に基づいて行われるが、冷却コイル１８における微生物制御モードは、必ずしも、加湿モジュール５０の微生物制御モードの実行と同時に行う必要はなく、冷却コイル１８における微生物の繁殖状況等により、加湿モジュール５０の微生物制御モードとは独立して適宜実行するように設定することができる。
【００９０】
また、冷却コイル１８の微生物制御モードにおけるポンプ（Ｐｈ）７６やバルブ７７やヒーター７８の動作シーケンスについては、第１実施形態に準拠したものを適宜利用することができる。
【００９１】
第２実施形態が、第１実施形態と相違する第２の点は、加湿モジュール５０の過酸化水素水供給部において、第１実施形態ではヒーター６８は、過酸化水素水供給管６４の途中に設けられ、過酸化水素水供給管６４中を流れる過酸化水素水をヒーター６８で昇温させるようしていたのに対し、第２実施形態ではヒーター６８は、過酸化水素水タンク６３に設けられ、過酸化水素水タンク６３内に貯留されている過酸化水素水の温度を昇温させるようにしている点である。
【００９２】
なお、昇温した過酸化水素水を加湿モジュール５０に供給するためには、以下のような他の方法を挙げることもできる。
・常温の過酸化水素水と、昇温した水を混合して加湿モジュール５０に供給する
・加湿モジュール５０の適用部分をヒーターなどで加温し、これに常温の過酸化水素を供給する
・加熱した空気で加湿モジュール５０の適用部位を加温し、これに常温の過酸化水素を供給する
・過酸化水素水を供給しながら、或いは供給後に加湿モジュール５０の適用部分をヒーターあるいは温風などで加温する。
・これまで説明した方法を適宜組み合わせる
第２実施形態が、第１実施形態と相違する第３の点は、加湿モジュール５０の過酸化水素水供給部において、第１実施形態では過酸化水素水滴下ノズル６５から過酸化水素水を滴下することで、加湿モジュール５０の過酸化水素水に供給していたのに対し、第２実施形態では噴霧ノズル６９から過酸化水素水を噴霧することで、加湿モジュール５０に過酸化水素水を供給している点である。
【００９３】
過酸化水素水供給管６４は、加湿モジュール５０近傍に設けられた過酸化水素水タンク６３から空調機１０の内部に過酸化水素を供給する。過酸化水素水供給管６４にはポンプ（Ｐｈ）６６が設けられており、このポンプ（Ｐｈ）６６を駆動させると過酸化水素水タンク６３から過酸化水素が所定の圧力で空調機１０内に送出される。過酸化水素水供給管６４には、ポンプ（Ｐｈ）６６の下流側にバルブ６７が設けられ、空調機１０への過酸化水素送出量が調整される。このバルブ６７は主制御部１００に接続され、主制御部１００によってバルブ６７の開閉制御が行われる。また、この過酸化水素水供給管６４は、ケーシング３０の内部まで導入され、加湿モジュール５０の上流側に位置するように配置されている。
【００９４】
過酸化水素水供給管６４には、ケーシング３０の内部に導入された部分に噴霧ノズル６９、６９…が複数形成されており、過酸化水素水タンク６３から送出された過酸化水素を、加湿モジュール５０に噴霧する。過酸化水素を噴霧することで、後述するように加湿モジュール５０の殺菌が行なえるほか、エア中に含まれる菌に対しても殺菌効果が望める。
【００９５】
以上のように、構成される第２実施形態によれば、第１実施形態と同様の効果を享受することができると共に、冷却コイル１８の微生物（細菌、カビなど）の繁殖・増殖につい
ても確実に制御すること可能となる。
【００９６】
次に、本発明の他の実施形態について説明する。図６は本発明の第３実施形態に係る空調機１０を被空調室１に適用した例を示す図である。図６に示す構成において、図１（第１実施形態）及び図５（第２実施形態）に示すものと同様の参照が付された構成は、同様のものであるので、詳細な説明は省略する。
【００９７】
また、第３実施形態に係る空調機１０の通常動作モードの構成・動作については、第１実施形態と同様であるので、これについても詳細な説明は省略する。
【００９８】
以下、第３実施形態に係る空調機１０内部における細菌、カビなどの微生物の繁殖・増殖の抑制を行う、本実施形態に係る空調機１０の微生物制御モードに係る構成及び動作について、以下説明する。
【００９９】
第３実施形態が第２実施形態と異なる点は、微生物制御モードで過酸化水素水を加湿モジュール５０に供給する際には、過酸化水素水の発泡を促進する発泡促進溶液も供給される点である。なお、本実施形態では、発泡促進溶液を供給する対象を加湿モジュール５０のみとしているが、当該対象には冷却コイル１８をも含めることができる。
【０１００】
第３実施形態では、酸素の発生に伴う「発泡」現象を積極的に利用することで、加湿モジュール５０表面に付着したバイオフィルムの除去・洗浄効果を増進させることもできる。「発泡」を洗浄効果の増進に利用するには、過酸化水素水の分解を促進する薬液（発泡促進溶液）との交互処理が効果的であり、第３実施形態はこのことを有効に活用する。特に、発泡促進溶液として次亜塩素酸トリウム水溶液を用いた場合、次亜塩素酸ナトリウムが持つ除菌・漂白作用も期待できる。
【０１０１】
例えば、オキシドール（２．５〜３．５％過酸化水素水）で傷口を消毒するときに泡が出るのは、過酸化水素が水と酸素に分解する際に酸素ガスが発生するためである。この発泡という物理的な現象を利用することで洗浄効果を増進させることが可能となる。
【０１０２】
例えば、発泡促進溶液として次亜塩素酸ナトリウム水溶液を用い、これと過酸化水素水を混合すると次の反応により酸素ガスが発生する。
Ｈ2Ｏ2（ａｑ）＋ＮａＣｌＯ（ａｑ）→ＮａＣｌ（ａｑ）＋Ｈ2Ｏ＋Ｏ2（ｇ）
（ａｑ）：水溶液、（ｇ）：気体
次亜塩素酸ナトリウム水溶液には殺菌作用、漂白作用があるので、過酸化水素水と交互に供給することで両薬剤の殺菌作用による相乗効果とともに、酸素ガス発生による「発泡」によりバイオフィルムの分解や剥離などの効果が期待できる。
【０１０３】
ここでは、発泡促進溶液として次亜塩素酸ナトリウム水溶液を例に挙げたが、過酸化水素水の分解・発泡を促進する薬剤であれば過酸化水素との併用により「発泡」による洗浄効果を期待できる。
【０１０４】
次亜塩素酸ナトリウム水溶液以外の発泡促進溶液としては、例えば、カタラーゼを含む水溶液を挙げることができる。また、発泡促進溶液としては、銀イオン、銅イオン、鉄イオン、クロムイオン、マンガンイオン、ニッケルイオンなどの金属イオンを含む水溶液を用いても構わない。また、発泡促進溶液は、そのｐＨを９以上として用いることにより発泡効果を促進することができる。
【０１０５】
以上を実現するための、加湿モジュール５０に発泡促進溶液を供給する具体的な構成を以下説明する。
【０１０６】
加湿モジュール５０への発泡促進溶液供給部において、加湿モジュール５０近傍に設けられた発泡促進溶液タンク８３から発泡促進溶液供給管８４を経て、発泡促進溶液を加湿モジュール５０に供給する。発泡促進溶液供給管８４の一端には発泡促進溶液滴下ノズル８５が設けられており、発泡促進溶液タンク８３に貯留された発泡促進溶液は、この発泡促進溶液滴下ノズル８５から滴下され、加湿モジュール５０の上部に供給される。ここで、発泡促進溶液としては次亜塩素酸ナトリウム水溶液を用いている。
【０１０７】
発泡促進溶液供給管８４の管路中にはポンプ（Ｐｂ）８６が設けられており、このポンプ（Ｐｂ）８６を駆動させると発泡促進溶液タンク８３から発泡促進溶液が所定の圧力で加湿モジュール５０内に送出される。また、発泡促進溶液供給管８４には、ポンプ（Ｐｂ）８６の下流側にバルブ８７が設けられ、加湿モジュール５０への発泡促進溶液の送出量が調整される。ポンプ（Ｐｂ）８６とバルブ８７は主制御部１００に接続され、主制御部１００によって、ポンプ（Ｐｂ）８６のオンオフ制御、バルブ８７の開閉制御が行われる。また、発泡促進溶液供給管８４は、ケーシング３０の内部まで導入され、加湿モジュール５０の上部側に位置するように配置されている。発泡効果を高める為に発泡促進溶液タンク８３、或いは発泡促進溶液供給管８４に加熱用のヒーターを取り付け、発泡溶液を過熱状態で供給しても良い。
【０１０８】
続いて、本実施形態に係る空調機１０における制御部の構成を説明する。図７は本発明の第３実施形態に係る空調機１０の制御ブロック図を示す図である。
【０１０９】
図７において、主制御部１００は、ＣＰＵとＣＰＵ上で動作するプログラムを保持するＲＯＭとＣＰＵのワークエリアであるＲＡＭなどからなる汎用の情報処理部であり、図中、接続される各構成と、データ通信を行い得るようになっている。
【０１１０】
被空調室１内に設けられた温度センサ２３で検出される温度データ、同じく被空調室１内に設けられた湿度センサ２７で検出される湿度データは、主制御部１００に対して入力される。また、空調エア出口１３近傍に設けられた濃度センサ４０で検出される空気中の過酸化水素の濃度データと、加湿モジュール５０中に設けられた濃度センサ４１で検出される過酸化水素水中の過酸化水素の濃度データについても、主制御部１００に対して入力される。
【０１１１】
また、送風機２２におけるエアの送風量は主制御部１００からの制御指令に基づいて制御可能とされる。また、冷却コイル１８と冷水タンク２１と間の循環を担うポンプ２０の駆動制御は、主制御部１００からの制御指令に基づいて実行されるようになっている。また、主制御部１００は、空調エア出口１３に設けられた出口弁１３ａの開口量、及び、循環ダクト５１中に設けられたダンパー５２の開閉を制御するようになっている。
【０１１２】
また、加湿モジュール５０への給水部を構成するポンプ（Ｐw）６１のオンオフ制御、
バルブ６２の開閉制御、また、加湿モジュール５０への過酸化水素水供給部を構成するポンプ（Ｐｈ）６６のオンオフ制御、バルブ６７の開閉制御、ヒーター６８のオンオフ制御、また、加湿モジュール５０への発泡促進溶液供給部を構成するポンプ（Ｐｂ）８６のオンオフ制御、バルブ８７の開閉制御についても主制御部１００からの制御指令に基づいて行われるようになっている。
【０１１３】
次に、本実施形態に係る空調機１０における加湿モジュール５０の微生物制御モードの制御例について説明する。図８は本発明の第３実施形態に係る空調機１０の微生物制御モードの制御フローチャート例を示す図である。加湿モジュール５０における細菌、カビなどの微生物の繁殖・増殖の抑制を行う微生物制御モードは、被空調室１に人がいないタイ
ミング（例えば休日など）に実行されるように予めセットされている。
【０１１４】
ステップＳ３０１は、そのようなタイミングであるかを判定するものであり、ステップＳ３０１では、予めセットされた所定時刻となったか否かが判定される。ステップＳ３０１における判定がＮＯである場合にはステップＳ３２２に進み、微生物制御モードを終了する。
【０１１５】
一方、予めセットされている所定時刻であると判定されると、ステップＳ３０２に進み、被空調室１に通ずる出口弁１３ａを閉じ、次にステップＳ３０３で、通常動作モードでは閉じられている循環ダクト５１中のダンパー５２を開ける。また、ステップＳ３０４では、送風機２２により所定風量（微生物制御時のために設定された風量）を送風する。
【０１１６】
ステップＳ３０５乃至ステップＳ３０９の工程は、まず、加湿モジュール５０に発泡促進溶液を供給する工程である。まず、ステップＳ３０５では、発泡促進溶液のポンプ（Ｐｂ）８６のオンとし、次のステップＳ３０６においては、発泡促進溶液のバルブ８７を所定量開く。続く、ステップＳ３０７では、バルブ８７を所定量開いてから、所定時間が経過して、所定量の発泡促進溶液が加湿モジュール５０に、供給されたか否かが判定される。このステップＳ３０７の判定がＹＥＳとなると、ステップＳ３０８に進み、発泡促進溶液のバルブ８７を閉じ、次のステップＳ３０９で、発泡促進溶液のポンプ（Ｐｂ）８６をオフとする。
【０１１７】
続いて、ステップＳ３１０で、加湿モジュール５０への過酸化水素水供給部を構成するポンプ（Ｐｈ）６６をオンとし、次のステップＳ３１１で、ヒーター６８をオンし、さらに次のステップＳ３１２で、バルブ６７を所定量開き、加湿モジュール５０に過酸化水素水を噴霧により供給し、微生物の殺菌などを行う。
【０１１８】
ここで、加湿モジュール５０には、先の工程により、予め発泡促進溶液として次亜塩素酸ナトリウム水溶液が所定量供給されているので、加湿モジュール５０に過酸化水素水が噴霧され、発泡促進溶液と混合されることで、酸素ガス発生による「発泡」によりバイオフィルムの分解や剥離などの効果がいっそう期待できる。また、発泡促進溶液の次亜塩素酸ナトリウム水溶液自体にも殺菌作用、漂白作用があるので、両薬剤の殺菌作用による相乗効果を期待できる。
【０１１９】
ステップＳ３１３では、バルブ６７が開かれてから所定時間が経過し、所定量の過酸化水素水が加湿モジュール５０に対して供給された否かが判定される。ステップＳ３１３がＹＥＳ判定となると、続くステップＳ３１４で、過酸化水素水供給部を構成するバルブ６７を閉じ、次のステップＳ３１５で、ヒーター６８をオフとし、ステップＳ３１６で、ポンプ（Ｐｈ）６６をオフとする。
【０１２０】
ステップＳ３１７では、空調エア出口１３近傍に設けられた濃度センサ４０の検出濃度が所定値以下であるか否かが判定される。所定値以上の過酸化水素水の濃度が検出され、当該判定がＮＯである場合には、ステップＳ３１８に進み、送風機２２による送風量を上げる。これにより、第２空間→循環ダクト５１→分解触媒フィルタ５３→第１空間→第２空間→・・・におけるエア循環が継続され、分解触媒フィルタ５３によるエア中の過酸化水素水の分解が促進される。
【０１２１】
一方、ステップＳ３１７の判定がＹＥＳである場合には、ステップＳ３１９に進み、送風機２２による風量を通常時に戻し、続くステップＳ３２０で、循環ダクト５１のダンパー５２を閉じ、さらにステップＳ３２１で、出口弁１３ａを開けて、次のステップＳ３２２で微生物制御モードを終了する。
【０１２２】
以上のように、第３実施形態に係る空調機１０においては、循環ダクト５１を設けた上で、過酸化水素水を供給する仕組みとなっているので、本発明の空調機１０によれば、微生物（細菌、カビなど）の繁殖・増殖を確実に制御すること可能となる。
【０１２３】
以上、本発明の空調機１０は、適用箇所（図６の例では加湿モジュール５０）に発泡促進溶液を供給してから、前記適用箇所に過酸化水素水を供給するので、本発明の空調機１０によれば、微生物（細菌、カビなど）の繁殖・増殖を確実に制御すること可能となる。
【０１２４】
なお、本実施形態においては、通常の殺菌処理における過酸化水素水濃度は概ね０．１％以上１％以下とすることを濃度の目安とし、濃度０．１〜１％の処理で十分な効果が得られない場合は１％より大きく、５％以下の濃度での処理を行うことが好ましいとしたが、このことを実験により検証したので、以下に説明する。
【０１２５】
環境中の微生物の多くは土壌中の微生物が風（気流）により浮遊、拡散したものである。空調機に取り込まれる外気にも、これら土壌由来の微生物がかなりの割合を占める。そこで、土壌微生物を対象として、以下のような過酸化水素水の殺菌検証実験を行った。
【０１２６】
・環境微生物の懸濁液の調製
土壌２５ｇを池の水５００ｍｌに懸濁し、紙製ワイパー（キムワイプ、日本製紙クレシア株式会社製）で濾過して粗粒子を除いた。以下の実験では、この濾過後の懸濁液を使用した。
【０１２７】
・殺菌実験
１００ｍｌの土壌懸濁液（濾過済み）に気化式加湿器の濾材試験片（焼成セラミック  ５ｃｍ×５ｃｍの正方形）を常温（２０〜２５℃）で５分間浸漬した後で紙ワイパーの上に取り出し、１分間静置し余分な水分を除いた。
【０１２８】
所定の濃度に希釈した過酸化水素水１００ｍｌに、余分な水分を除いた試験片を常温（２０〜２５℃）で５分間浸けた。試験片を過酸化水素水に浸けている間は、過酸化水素水が入った容器ごと振幅３ｃｍ、３０回／分の往復振とうにより攪拌を行った。
【０１２９】
・サンプリング、培養
過酸化水素溶液に浸漬した試験片を紙ワイパーの上に取り出し他後、直ちに次の２種類の「ぺたんチェック２５」（栄研化学株式会社製）でサンプリングした。
○ぺたんチェック２５  トリプトソイ寒天培地（細菌用）
○ぺたんチェック２５  ＣＰ加ポテトデキストロース寒天培地（真菌、カビ用）
トリプトソイ寒天培地は３０℃で３日間培養後、ＣＰ加ポテトデキストロース寒天培地は２５℃で５日間培養後にコロニー数をカウントした。
【０１３０】
・結果とその評価
コロニー数のカウント結果を表１に示す。
【０１３１】
【表１】
2013213657.tif 000003
【０１３２】
濃度０．１％の過酸化水素水処理でトリプトソイ寒天培地、ＣＰ加ポテトデキストロース寒天培地の何れでもコロニー数の低減が見られたが、細菌に対しては効果が不充分であった。０．３５％、１％と過酸化水素水濃度を上げるに従いトリプトソイ寒天培地、ＣＰ加ポテトデキストロース寒天培地の両方でコロニー数が減少し、１%以上ではコロニーの
発生が殆ど抑制された。このことから、過酸化水素水濃度の濃度は０．１％〜１％の処理により、殆どの環境微生物に対して殺菌効果が期待できることが判った。
【符号の説明】
【０１３３】
１・・・被空調室、２・・・区画壁、４・・・天井面、６・・・エア供給パネル、８・・・側壁、９・・・排気パネル、１０・・・空調機、１１・・・外気取入口、１１ａ・・・外気弁、１２ａ・・・エア排気ダクト、１２ｂ・・・エア給気ダクト、１３・・・空調エア出口、１３ａ・・・出口弁、１７・・・中性能フィルタ、１８・・・冷却コイル、２０・・・ポンプ（Ｐｃ）、２１・・・冷水タンク、２２・・・送風機、２３・・・温度センサ、２４・・・隔壁、２４ａ・・・吹き出し口、２７・・・湿度センサ、２８・・・抗菌ＨＥＰＡフィルタ、３０・・・ケーシング、３８・・・プレフィルタ、４０・・・濃度センサ、４１・・・濃度センサ、５０・・・加湿モジュール、５１・・・循環ダクト、５２・・・ダンパー、５３・・・分解触媒フィルタ、５５・・・ドレイン、５８・・・水タンク、５９・・・水供給管、６０・・・水滴下ノズル、６１・・・ポンプ（Ｐw）、６２・
・・バルブ、６３・・・過酸化水素水タンク、６４・・・過酸化水素水供給管、６５・・・過酸化水素水滴下ノズル、６６・・・ポンプ（Ｐｈ）、６７・・・バルブ、６８・・・ヒーター、６９・・・噴霧ノズル、７０・・・ドレイン、７３・・・過酸化水素水タンク、７４・・・過酸化水素水供給管、７５・・・過酸化水素水滴下ノズル、７６・・・ポンプ（Ｐｈ）、７７・・・バルブ、７８・・・ヒーター、８３・・・発泡促進溶液タンク、８４・・・発泡促進溶液供給管、８５・・・発泡促進溶液滴下ノズル、８６・・・ポンプ（Ｐｂ）、８７・・・バルブ、１００・・・主制御部
【図１】
2013213657.tif 000004
【図２】
2013213657.tif 000005
【図３】
2013213657.tif 000006
【図４】
2013213657.tif 000007
【図５】
2013213657.tif 000008
【図６】
2013213657.tif 000009
【図７】
2013213657.tif 000010
【図８】
2013213657.tif 000011